(57)【特許請求の範囲】
【請求項１】
中央に仕切り板を有し巻線が施される胴部を平行に２個設け、該各々の胴部の両端に鍔を有し、長手方向に平行に中央から左右に２分割可能なコイルボビンに、Ｕ字形コアの２脚を前記胴部に挿入し、２脚の先端面とＩ字形コアの長手方向の１面を突き合わせてロ字形を形成し、該ロ字形を保持するために前記鍔の側面溝部にばね性を有し湾曲した矩形板状のホルダーの両端を装着し、該湾曲部で前記Ｕ字形及びＩ字形コアの突き合わせ面とは反対側の背面を押圧することによってコアをコイルボビンに把持するトランス・チョークコイルにおいて、Ｕ字形コアの２脚の各々の挿入口の上部に凸部をコイルボビン底面と平行に設けたことを特徴とするトランス・チョークコイル。
【請求項２】
中央に仕切り板を有し巻線が施される胴部を平行に２個設け、該胴部の両端に鍔を有し、長手方向に平行に中央から左右に２分割可能なコイルボビンに、Ｕ字形コアの２脚を前記胴部に挿入し、２脚の先端面とＩ字形コアの長手方向の１面を突き合わせてロ字形を形成し、該ロ字形を保持するために前記鍔の側面溝部にばね性を有し湾曲した矩形板状のホルダーの両端を装着し、該湾曲部で前記Ｕ字形及びＩ字形コアの突き合わせ面とは反対側の背面を押圧することによってコアをコイルボビンに把持するトランス・チョークコイルにおいて、前記ばね性を有する湾曲した矩形板状のホルダーの前記鍔側面溝部に装着する両端を、湾曲させずに該溝部と嵌合するように平坦な板状にし、両端の平坦部の間は湾曲させて全体として略Ｕ字形のホルダーとして、該ホルダーの湾曲部で前記コア背面を押圧することによってコアをコイルボビンに把持することを特徴とするトランス・チョークコイル。
【請求項３】
中央に仕切り板を有し巻線が施される胴部を平行に２個設け、該胴部の両端に鍔を有し、長手方向に平行に中央から左右に２分割可能なコイルボビンに、Ｕ字形コアの２脚を前記胴部に挿入し、２脚の先端面とＩ字形コアの長手方向の１面を突き合わせてロ字形を形成し、該ロ字形を保持するために前記鍔の側面溝部にばね性を有し湾曲した矩形板状のホルダーの両端を装着し、該湾曲部で前記Ｕ字形及びＩ字形コアの突き合わせ面とは反対側の背面を押圧することによってコアをコイルボビンに把持するトランス・チョークコイルにおいて、前記コイルボビンのＵ字形コアの２脚の挿入口の上部に凸部をコイルボビン底面と平行に設け、更に前記ばね性を有する湾曲した矩形板状のホルダーの前記鍔側面溝部に装着する両端を、湾曲させずに該溝部と嵌合するように平坦な板状にし、両端の平坦部の間は湾曲させて全体として略Ｕ字形のホルダーとして、該ホルダーの湾曲部で前記コア背面を押圧することによってコアをコイルボビンに把持することを特徴とするトランス・チョークコイル。
【発明の詳細な説明】
【０００１】
【産業上の利用分野】
本発明は、トランス・チョークコイルに関し、特に、それに使用される磁気コアを突き合わせ、両面から固定する、２分割されたコイルボビン及びコア固定用ホルダーに関するものである。
【０００２】
【従来の技術】
従来、この種のトランス・チョークコイルは、図４に示すように、コイルボビン１ａ、Ｕ字形コア２、Ｉ字形コア３、ホルダー４ａにより構成され、コイルボビンの胴部５に巻線を施し、該巻線の両端をピン端子９にからげることにより完成される。なお、コイルボビン１ａは長手方向に平行に中央から左右に２分割された構造のものである。
【０００３】
このトランス・チョークコイルにおいて、インダクタンス特性のばらつきを小さくするには、Ｕ字形コアの２脚とＩ字形コアの突き合わせ面の密着性を高めることである。この密着性は、コア背面をホルダーの湾曲部のばね性により押圧する力によって得られるものであり、コイルボビンにコアを収納し、コアの接合する面を突き合わせ、ホルダーを装着して、コアをコイルボビンに把持する一連の作業のでき、不できが突き合わせ面の密着性、強いてはインダクタンス特性のばらつきに大きく影響していた。
【０００４】
【発明が解決しようとする課題】
従来のトランス・チョークコイルにおけるコアの突き合わせ面の密着性を保持しながら、ホルダーによってコアをコイルボビンに把持する一連の作業では、Ｕ字形コアは２脚が胴部に挿入されるため、ホルダーによるコア固定が容易であるが、Ｉ字形コアの場合は、コイルボビンの底面と接触する面の反対側の面が拘束されずに開放されているため、ホルダーを装着してＵ字形コアの２脚の先端面と突き合わせてコアを固定する作業において、コアずれの発生等によりコア固定が難しく、作業効率を著しく悪化させるという欠点があった。
【０００５】
更にまた、図４に示すホルダー４ａは、全長にわたって湾曲しているため、その両端部をコイルボビンの鍔７の溝部８に装着しにくく、またホルダーの持つばね性を利用してホルダーの湾曲部でコア背面を押圧する際に発生する反発力が、溝部８をコイルボビンの長手方向に対して外側に押し広げることにより、鍔７が破損し易くなるため、ホルダー装着によるコア固定作業の作業効率を上記同様、著しく悪化させるという欠点があった。
【０００６】
本発明の目的は、これらの欠点を解決し、ホルダー装着によるコア固定作業を容易にし、作業効率を改善するとともに、突き合わせ面の密着性も改善して、インダクタンスのばらつきが小さく特性の安定したトランス・チョークコイルを提供するものである。
【０００７】
【課題を解決するための手段】
本発明は、▲１▼中央に仕切り板を有し巻線が施される胴部を平行に２個設け、該各々の胴部の両端に鍔を有し、長手方向に平行に中央から左右に２分割可能なコイルボビンに、Ｕ字形コアの２脚を前記胴部に挿入し、２脚の先端面とＩ字形コアの長手方向の１面を突き合わせてロ字形を形成し、該ロ字形を保持するために前記鍔の側面溝部にばね性を有し湾曲した矩形板状のホルダーの両端を装着し、該湾曲部で前記Ｕ字形及びＩ字形コアの突き合わせ面とは反対側の背面を押圧することによってコアをコイルボビンに把持するトランス・チョークコイルにおいて、Ｕ字形コアの２脚の各々の挿入口の上部に凸部をコイルボビン底面と平行に設けたことを特徴とするトランス・チョークコイルであり、▲２▼中央に仕切り板を有し巻線が施される胴部を平行に２個設け、該胴部の両端に鍔を有し、長手方向に平行に中央から左右に２分割可能なコイルボビンに、Ｕ字形コアの２脚を前記胴部に挿入し、２脚の先端面とＩ字形コアの長手方向の１面を突き合わせてロ字形を形成し、該ロ字形を保持するために前記鍔の側面溝部にばね性を有し湾曲した矩形板状のホルダーの両端を装着し、該湾曲部で前記Ｕ字形及びＩ字形コアの突き合わせ面とは反対側の背面を押圧することによってコアをコイルボビンに把持するトランス・チョークコイルにおいて、前記ばね性を有する湾曲した矩形板状のホルダーの前記鍔側面溝部に装着する両端を、湾曲させずに該溝部と嵌合するように平坦な板状にし、両端の平坦部の間は湾曲させて全体として略Ｕ字形のホルダーとして、該ホルダーの湾曲部で前記コア背面を押圧することによってコアをコイルボビンに把持することを特徴とするトランス・チョークコイルであり、▲３▼中央に仕切り板を有し巻線が施される胴部を平行に２個設け、該胴部の両端に鍔を有し、長手方向に平行に中央から左右に２分割可能なコイルボビンに、Ｕ字形コアの２脚を前記胴部に挿入し、２脚の先端面とＩ字形コアの長手方向の１面を突き合わせてロ字形を形成し、該ロ字形を保持するために前記鍔の側面溝部にばね性を有し湾曲した矩形板状のホルダーの両端を装着し、該湾曲部で前記Ｕ字形及びＩ字形コアの突き合わせ面とは反対側の背面を押圧することによってコアをコイルボビンに把持するトランス・チョークコイルにおいて、前記コイルボビンのＵ字形コアの２脚の挿入口の上部に凸部をコイルボビン底面と平行に設け、更に前記ばね性を有する湾曲した矩形板状のホルダーの前記鍔側面溝部に装着する両端を、湾曲させずに該溝部と嵌合するように平坦な板状にし、両端の平坦部の間は湾曲させて全体として略Ｕ字形のホルダーとして、該ホルダーの湾曲部で前記コア背面を押圧することによってコアをコイルボビンに把持することを特徴とするトランス・チョークコイルである。
【０００８】
【作用】
コイルボビンのＵ字形コアの２脚の挿入口の上部に凸部を設け、更にホルダーの鍔の溝部に装着する両端は湾曲させずに平坦な板状にすることにより、コア固定作業が容易になり、作業効率の改善を図ることができる。また、密着性が向上するためインダクタンス特性が安定する。
【０００９】
【実施例】
本発明の実施例について、図面を用いて説明する。
図１は、本発明の実施例１のトランス・チョークコイル用のコイルボビンを示す説明図で、図１（ａ）は斜視図、図１（ｂ）は、Ｕ字形及びＩ字形コアをコイルボビンに収納し、面を突き合わせた状態の横断面図である。
図２は、本発明の実施例２のトランス・チョークコイル用のホルダーを示す斜視図である。
図３は、本発明の実施例３のトランス・チョークコイル用のコイルボビン及びホルダーを示す斜視図である。
【００１０】
先ず実施例１について、図１を用いて説明する。図１に示すように、本発明のトランス・チョークコイル用のコイルボビン１は、従来のコイルボビンに対して、Ｕ字形コア２の２脚を挿入する挿入口１０の上部に凸部１２を設けたものである。すなわち、Ｕ字形コア２とＩ字形コア３をコイルボビン１に矢印方向１８，１９から挿入、収納する。そして、Ｕ字形コア２の２脚の先端面とＩ字形コア３の一面を突き合わせる。この状態を示したのが、図１（ｂ）の横断面図である。更に、磁気コアを突き合わせた状態で、突き合わせ面の密着性を確保しつつ、コイルボビン１にコアを固定、把持するためにホルダー４ａをコイルボビン１の鍔７の溝部８に上から差し込んで、ホルダー４ａの湾曲面１３でコアの背面１４，１５を押圧する。
【００１１】
このコアをコイルボビンに固定、把持する一連の作業において、従来のコイルボビンでは、Ｕ字形のコア２は、２脚が挿入口１０から胴部５の内部に挿入されるので、コイルボビン１への収納状態は安定しており、ホルダー４ａによる固定作業も容易である。逆に、Ｉ字形コア３は、６面のうちホルダー４ａにより押圧される背面１５とＵ字形コア２の２脚の先端面との突き合わせ面、コイルボビン１の底面１１に接する面及び鍔７のコイルボビン１の長手方向に平行な側面に対面する両端面の５面は、コイルボビン１に収納時、開放状態にないが、残る一面、すなわちコイルボビン１の底面１１の反対側の面が、上方へ開放された状態にある。このため、ホルダー４ａ装着時にＩ字形コア３の上方へのずれが発生しやすく、それを調整するのに時間がかかり、著しく作業効率を悪くし、またコア突き合わせ面の密着性がばらつくためその結果として、インダクタンスのばらつきを大にするものであった。本実施例では、凸部１２を設けることによって、Ｉ字形コア３の上方へのずれを防止することができ、突き合わせ面の密着性を損なうことなく、コイルボビン１にコアを固定、把持する作業が容易になる。更に、庇１２は、鍔７のコイルボビン１の長手方向に垂直な面と、それに垂直な側面の隅に桟を入れたことになるので、鍔７を補強することにもなる。
【００１２】
実施例２は、図２に示すホルダー４を使用した例であり、ばね性を有する矩形板状のものを、その両端部１６は鍔７の溝部８に嵌合するように湾曲させずに平坦な矩形板状のままとし、該両端の平坦部の間は湾曲させて全体として略Ｕ字形に作製したものである。従来のホルダーは、全長に渡って湾曲しており、両端に平坦部１６を有しないため、ホルダーを鍔７の溝部８に差し込む場合、差し込みずらいという問題があり、また、ホルダーの持つばね性を利用して、ホルダーの湾曲面１７でコア背面１４，１５を押圧する際に発生する反発力が、溝部８をコイルボビンの長手方向に対して外側に押し広げることにより、鍔７が破損し易くなるため、作業効率を悪化させるという問題があった。本実施例のホルダー４は、以上２点の問題を解決し、作業性の改善を図るものである。すなわち、鍔７の溝部８に差し込む両端部１６は、平坦な矩形板状のため、溝部８に簡単に差し込むことができる。また、湾曲面１７でコア背面１４，１５を押圧する際に発生する反発力も両端部１６で吸収されるため、鍔７が破損しにくくなり、作業性が改善される。
【００１３】
実施例３は、コイルボビンに実施例１のコイルボビン１を使用し、ホルダーには実施例２のホルダー４を使用した例である。
【００１４】
【発明の効果】
以上、述べたように、実施例１のコイルボビン１と実施例２のホルダー４をそれぞれ単独、あるいはセットにして用いれば、コアの突き合わせ、コイルボビンへのコアの固定、把持の一連の作業効率が顕著に改善され、インダクタンス特性が安定化したトランス・チョークコイルが提供できる。
【図面の簡単な説明】
【図１】Ｕ字形コアとＩ字形コアを使用した場合の本発明の実施例１のトランス・チョークコイル用のコイルボビンの説明図。図１（ａ）は斜視図。図１（ｂ）は横断面図。
【図２】Ｕ字形コアとＩ字形コアを使用した場合の本発明の実施例２のトランス・チョークコイル用のホルダーを示す斜視図。
【図３】Ｕ字形コアとＩ字形コアを使用した場合の本発明の実施例３のトランス・チョークコイル用のコイルボビン及びホルダーを示す斜視図。
【図４】Ｕ字形コアとＩ字形コアを使用した従来のトランス・チョークコイルを示す斜視図。
【符号の説明】
１    （本発明の）コイルボビン
１ａ    （従来の）コイルボビン
２    Ｕ字形コア
３    Ｉ字形コア
４    （本発明）のホルダー
４ａ      （従来の）のホルダー
５        （巻線を施す）胴部
６        仕切り板
７        鍔
８        （ホルダー装着用）溝部
９        ピン端子
１０      （Ｕ字形コアの２脚の）挿入口
１１      コイルボビンの底面
１２      凸部
１３      （従来のホルダーの）湾曲面
１４      （Ｕ字形コアの）背面
１５      （Ｉ字形コアの）背面
１６      （本発明のホルダーの）両端部
１７      （本発明のホルダーの）湾曲面
１８      （Ｕ字形コアの挿入）矢印方向
１９      （Ｉ字形コアの挿入）矢印方向
【図１】
0003614512.tif 000002
【図２】
0003614512.tif 000003
【図３】
0003614512.tif 000004
【図４】
0003614512.tif 000005